(57)【要約】【課題】記録装置の利便性を向上すること。【解決手段】記録ヘッド４１と、記録ヘッド４１の上部に配置され、記録ヘッド４１に供給するインクを収容するインクタンク４６と、記録ヘッド４１及びインクタンク４６が搭載されるキャリッジ４３と、インクタンク４６を内部に備える筐体２１と、筐体２１の上部に回動軸１１を介して筐体２１に対して回動可能に取り付けられ、原稿台１２に載置される原稿を読み取るスキャナーユニット１０と、各種操作が可能なパネルユニット１６と、を備え、スキャナーユニット１０の回動軸１１に対向配置される端部１４に取り付けられ、第１姿勢と、第１姿勢よりも原稿台１２に対して平行に近い第２姿勢との間でチルト可能であり、スキャナーユニット１０を筐体２１に対して回動させ、インクタンク４６を露出することにより、インクを補充容器４８からインクタンク４６に注入可能となることを特徴とする。【選択図】図３
2020189434.tif 000002
【特許請求の範囲】
【請求項１】
媒体に液体を吐出して記録を行う記録部と、
前記記録部の上部に配置され、前記記録部に供給する前記液体を収容するとともに、前記液体を補充容器から注入可能な注入口を備える液体収容部と、
前記記録部及び前記液体収容部が搭載され、前記媒体が搬送される方向と交差する幅方向に移動可能なキャリッジと、
前記液体収容部を内部に備える筐体と、
前記筐体の上部に回動軸を介して前記筐体に対して回動可能に取り付けられ、原稿台に載置される原稿を読み取るスキャナーユニットと、
各種操作が可能なパネルユニットと、
を備え、
前記パネルユニットは、前記スキャナーユニットの前記回動軸に対向配置される端部に取り付けられ、第１姿勢と、前記第１姿勢よりも前記原稿台に対して平行に近い第２姿勢との間でチルト可能であり、
前記スキャナーユニットを前記筐体に対して回動させ、一定量開口させることにより、前記液体を前記補充容器から前記液体収容部に注入可能となることを特徴とする記録装置。
【請求項２】
前記キャリッジ及び前記筐体は、前記液体収容部に収容される前記液体の残量を視認可能とする視認部を有することを特徴とする請求項１に記載の記録装置。
【請求項３】
前記筐体は、前記第１姿勢の前記パネルユニットに対向配置される前面側筐体部を有し、
前記前面側筐体部に前記視認部が設けられることを特徴とする請求項２に記載の記録装置。
【請求項４】
前記筐体は、前記第１姿勢の前記パネルユニットに対向配置される前面側筐体部を有し、
前記液体を前記補充容器から前記液体収容部に注入する場合、前記前面側筐体部から前記回動軸に向かう方向から見た平面視において、前記視認部は前記パネルユニット及び前記端部に重ならないことを特徴とする請求項２または請求項３に記載の記録装置。
【請求項５】
前記液体を前記補充容器から前記液体収容部に注入する場合、前記注入口は、前記端部に対して前記前面側筐体部側に配置されることを特徴とする請求項４に記載の記録装置。
【請求項６】
前記液体を前記補充容器から前記液体収容部に注入可能となるように前記スキャナーユニットを前記筐体に対して開いた場合、及び、前記液体収容部を覆うように前記スキャナーユニットを前記筐体に対して閉じた場合の両方で、前記パネルユニットを操作可能であることを特徴とする請求項１〜５のいずれか１項に記載の記録装置。
【請求項７】
前記スキャナーユニットが前記液体収容部を覆うように前記筐体に対して閉じられた状態で、前記スキャナーユニットの移動を制限するロック部を有することを特徴とする請求項１〜６のいずれか１項に記載の記録装置。
【請求項８】
前記ロック部は、前記パネルユニットの前記原稿台に対する角度によって、前記スキャナーユニットの移動を制限するロック状態を解除するロック解除荷重を変化させることを特徴とする請求項７に記載の記録装置。
【発明の詳細な説明】
【技術分野】
【０００１】
本発明は、記録装置に関する。
【背景技術】
【０００２】
例えば、記録ヘッド及びインクタンクがキャリッジに搭載され、装置外部からインクタンクのインク残量を容易に確認できる記録装置が提案されている（特許文献１）。
特許文献１に記載の記録装置は、内部に記録ヘッド及びインクタンクが搭載されたキャリッジを有する筐体と、筐体の上部を開閉する上部カバーと有する。さらに、筐体の前面側筐体部には、操作パネルと、インクタンクのインク残量を確認することができる視認部とが設けられている。
【先行技術文献】
【特許文献】
【０００３】
【特許文献１】特開２０１８−１６１８５１号公報
【発明の概要】
【発明が解決しようとする課題】
【０００４】
しかしながら、特許文献１に記載の記録装置では、筐体の前面側筐体部に操作パネルと視認部とが設けられているため、視認部を大きくし、装置外部からインクタンクのインク残量を容易に確認しようとすると、操作パネルが相対的に小さくなり、操作パネルが使用しにくく、ユーザーの利便性が低下するという課題があった。
【課題を解決するための手段】
【０００５】
本願の記録装置は、媒体に液体を吐出して記録を行う記録部と、前記記録部の上部に配置され、前記記録部に供給する前記液体を収容するとともに、前記液体を補充容器から注入可能な注入口を備える液体収容部と、前記記録部及び前記液体収容部が搭載され、前記媒体が搬送される方向と交差する幅方向に移動可能なキャリッジと、前記液体収容部を内部に備える筐体と、前記筐体の上部に回動軸を介して前記筐体に対して回動可能に取り付けられ、原稿台に載置される原稿を読み取るスキャナーユニットと、各種操作が可能なパネルユニットと、を備え、前記パネルユニットは、前記スキャナーユニットの前記回動軸に対向配置される端部に取り付けられ、第１姿勢と、前記第１姿勢よりも前記原稿台に対して平行に近い第２姿勢との間でチルト可能であり、前記スキャナーユニットを前記筐体に対して回動させ、一定量開口させることにより、前記液体を前記補充容器から前記液体収容部に注入可能となることを特徴とする。
【０００６】
上記記録装置では、前記キャリッジ及び前記筐体は、前記液体収容部に収容される前記液体の残量を視認可能とする視認部を有することが好ましい。
【０００７】
上記記録装置では、前記筐体は、前記第１姿勢の前記パネルユニットに対向配置される前面側筐体部を有し、前記前面側筐体部に前記視認部が設けられることが好ましい。
【０００８】
上記記録装置では、前記筐体は、前記第１姿勢の前記パネルユニットに対向配置される前面側筐体部を有し、前記液体を前記補充容器から前記液体収容部に注入する場合、前記前面側筐体部から前記回動軸に向かう方向から見た平面視において、前記視認部は前記パネルユニット及び前記端部に重ならないことが好ましい。
【０００９】
上記記録装置では、前記液体を前記補充容器から前記液体収容部に注入する場合、前記注入口は、前記端部に対して前記前面側筐体部側に配置されることが好ましい。
【００１０】
上記記録装置では、前記液体を前記補充容器から前記液体収容部に注入可能となるように前記スキャナーユニットを前記筐体に対して開いた場合、及び、前記液体収容部を覆うように前記スキャナーユニットを前記筐体に対して閉じた場合の両方で、前記パネルユニットを操作可能であることが好ましい。
【００１１】
上記記録装置では、前記スキャナーユニットが前記液体収容部を覆うように前記筐体に対して閉じられた状態で、前記スキャナーユニットの移動を制限するロック部を有することが好ましい。
【００１２】
上記記録装置では、前記ロック部は、前記パネルユニットの前記原稿台に対する角度によって、前記スキャナーユニットの移動を制限するロック状態を解除するロック解除荷重を変化させることが好ましい。
【図面の簡単な説明】
【００１３】
【図１】実施形態１に係る記録装置の斜視図。
【図２】実施形態１に係る記録装置の他の斜視図。
【図３】実施形態１に係る記録装置の他の斜視図。
【図４】実施形態１に係る記録装置の他の斜視図。
【図５】実施形態１に係る記録装置の側断面図。
【図６】ロック部の要部断面図。
【図７】実施形態２に係る記録装置が備えるロック部の要部断面図。
【図８】実施形態２に係る記録装置が備えるロック部の要部断面図。
【図９】実施形態２に係る記録装置が備えるロック部の要部断面図。
【図１０】実施形態２に係る記録装置の斜視図。
【発明を実施するための形態】
【００１４】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際と異ならせている。
【００１５】
（実施形態１）
図１は、実施形態１に係る記録装置１の斜視図である。図２〜図４は、本実施形態に係る記録装置１の他の斜視図である。図５は、本実施形態に係る記録装置１の側断面図である。図６は、ロック部５０の要部断面図である。
図１では、スキャナーユニット１０が筐体２１に対して閉じられた状態が図示されている。図２〜図４では、スキャナーユニット１０が筐体２１に対して開かれた状態が図示されている。さらに、図２ではホーム位置にキャリッジ４３が配置される状態が図示され、図３及び図４ではインクタンク４６にインクを注入可能な位置（以降、インク注入位置と称す）にキャリッジ４３が配置される状態が図示されている。
また、以降の説明では、スキャナーユニット１０が筐体２１に対して開かれた状態にあることを、スキャナーユニット１０が開状態にあると称し、スキャナーユニット１０が筐体２１に対して閉じられた状態にあることを、スキャナーユニット１０が閉状態にあると称す。
以下、図１〜図６を参照し、本実施形態に係る記録装置１の概要を説明する。
【００１６】
図１に示すように、記録装置１は、直方体状をなす装置本体２０（筐体２１）と、その上部に取り付けられるスキャナーユニット１０とを有し、水平面に設置されている。さらに、記録装置１は、スキャナーユニット１０の端部１４（図５参照）に取り付けられるパネルユニット１６と、図示しない制御部とを有する。
制御部は、装置本体２０の内部に配置され、ＣＰＵやメモリーなどを有し、記録装置１の各部を制御する。
以降の説明では、直方体状をなす装置本体２０の長手方向（幅方向）をＸ方向とし、装置本体２０の短手方向（奥行方向）をＹ方向とし、装置本体２０の高さ方向をＺ方向とする。また、方向を示す矢印の先端側を＋方向とし、方向を示す矢印の基端側を−方向とする。
なお、Ｙ方向は、本願における前面側筐体部から回動軸に向かう方向の一例である。
【００１７】
スキャナーユニット１０は、装置本体２０の筐体２１の上部に配置され、図中に破線で示される回動軸１１を介して装置本体２０の筐体２１に対して回動可能に取り付けられている。その結果、スキャナーユニット１０は、回動軸１１を回動中心として回動する。筐体２１は、装置本体２０の外装ケースであり、内部にインクタンク４６（図２参照）を有する。スキャナーユニット１０では、図中に破線で示される原稿台１２に載置された原稿を読み取るスキャナーハウジング部１３（図２参照）と、原稿を載置する原稿台１２と、上蓋１９とがＺ方向に沿って順に配置されている。
スキャナーユニット１０において、上蓋１９は原稿台１２の上部に設けられている。上蓋１９は、図中に実線と二点鎖線とで示すように、図中に破線で示される原稿台１２に対して開閉可能である。上蓋１９を開くと原稿台１２が露出し、原稿台１２に原稿をセットすることができる。原稿台１２は、水平面と平行に配置され、透明かつ平坦なガラス板で構成されている。スキャナーハウジング部１３は、原稿台１２に載置された原稿に記録された文字や写真などの画像を読取可能に構成されている。
【００１８】
図中に破線で示される回動軸１１は、筐体２１の＋Ｙ方向側に配置され、スキャナーユニット１０を筐体２１に対して回動可能に支持する。スキャナーユニット１０の−Ｙ方向側の端は、スキャナーユニット１０の端部１４である。スキャナーユニット１０の端部１４は、回動軸１１に対向配置される。
スキャナーユニット１０では、側面（＋Ｘ方向側の面、−Ｘ方向側の面）に一対の手掛け部１５が設けられている。ユーザーは、手掛け部１５に手を掛けて、スキャナーユニット１０を筐体２１に対して開閉することができる。
【００１９】
パネルユニット１６は、スキャナーユニット１０の端部１４に取り付けられている。そして、パネルユニット１６は、回動軸１１を回動中心として、スキャナーユニット１０と一緒に回動する。
さらに、パネルユニット１６は、図中に実線と二点鎖線とで示すように、スキャナーユニット１０に対してチルト可能である。また、パネルユニット１６がスキャナーユニット１０に対してチルトした状態において、パネルユニット１６の−Ｙ方向側の端が先端１６ａである。
図１では、原稿台１２となす角度が９０度であるパネルユニット１６、すなわち水平面となす角度が９０度であるパネルユニット１６が実線で図示されている。図１に実線で図示される原稿台１２となす角度が略９０度であるパネルユニット１６の姿勢は、第１姿勢の一例であり、以降、第１姿勢と称する。図１に二点鎖線で図示されるパネルユニット１６の姿勢は、本願における第１姿勢よりも原稿台に対して平行に近い第２姿勢の一例であり、以降、第２姿勢と称す。
さらに、パネルユニット１６の姿勢が第１姿勢である場合、パネルユニット１６が閉状態にあると称し、パネルユニット１６の姿勢が第２姿勢である場合、パネルユニット１６が開状態にあると称す。
また、パネルユニット１６は、原稿台１２と直交する状態から原稿台１２と平行な状態まで、チルト可能である。第１姿勢は、原稿台１２に対して直交するパネルユニット１６の姿勢である。第２姿勢は、原稿台１２に対して直交しないパネルユニット１６の姿勢である。
【００２０】
このように、本実施形態に係る記録装置１は、スキャナーユニット１０の回動軸１１に対向配置される端部１４に取り付けられ、第１姿勢と、第１姿勢よりも原稿台１２に対して平行に近い第２姿勢との間でチルト可能なパネルユニット１６を有する。
【００２１】
装置本体２０の下部（−Ｚ方向側）には前扉９が設けられている。前扉９は開閉可能であり、前扉９を開くと排出部２５が露出する。詳しくは、図５に示すように、前扉９を開き、装置本体２０内に収納される排出板２７を−Ｙ方向側に張り出させて、排出部２５が形成される。そして、画像が記録された媒体は、排出部２５に排出される。
【００２２】
図２及び図３に示すように、スキャナーユニット１０を開状態にすると、装置本体２０の筐体２１の前面側筐体部２２が露出する。なお、スキャナーユニット１０が閉状態であり、パネルユニット１６が第１姿勢である場合、筐体２１の前面側筐体部２２は、パネルユニット１６に対向配置される。換言すれば、筐体２１は、第１姿勢のパネルユニット１６に対向配置される前面側筐体部２２を有する。
筐体２１の前面側筐体部２２は回動軸１１に対向配置され、前面側筐体部２２から回動軸１１に向かう方向がＹ方向である。前面側筐体部２２から回動軸１１に向かう方向に見ることは、本願における前面側筐体部から回動軸に向かう方向から見た平面視に該当し、以降、単に平面視と称す。
さらに、スキャナーユニット１０及びパネルユニット１６を、回動軸１１を回動中心として回動させ、筐体２１に対して開くと、装置本体２０の内部に配置されるキャリッジ４３及びインクタンク４６が露出する。さらに、詳細は後述するが、スキャナーユニット１０及びパネルユニット１６を、回動軸１１を回動中心として回動させ、筐体２１に対して開くと、ユーザーがインクタンク４６のインク残量を視認可能になり、インクタンク４６にインクを注入可能になる。
【００２３】
パネルユニット１６は、本体１７と操作パネル１８とを有する。操作パネル１８は、タッチパネルを有する液晶表示装置で構成される。ユーザーは、操作パネル１８によって、記録装置１に対して各種設定を行うことができる。
本実施形態では、スキャナーユニット１０を筐体２１に対して開いた状態（開状態）、及び、スキャナーユニット１０を筐体２１に対して閉じた状態（閉状態）の両方で、パネルユニット１６を操作可能であり、操作パネル１８によって、記録装置１に対して各種設定を行うことができる。すなわち、スキャナーユニット１０が開状態及び閉状態の両方で、パネルユニット１６が操作可能である。スキャナーユニット１０が開状態及び閉状態の両方で、パネルユニット１６が操作可能であると、スキャナーユニット１０が開状態または閉状態のいずれかで、パネルユニット１６が操作可能である場合と比べて、ユーザーの利便性が向上する。
さらに、パネルユニット１６の姿勢が第１姿勢または第２姿勢である場合でも、パネルユニット１６を操作可能である。
【００２４】
筐体２１の前面側筐体部２２には、中央付近に切り欠き２３が形成され、切り欠き２３に対して−Ｘ方向側にロック部５０が形成されている。ロック部５０は、スキャナーユニット１０が閉状態において、スキャナーユニット１０と筐体２１とが接する部分に設けられている。
図６に示すように、ロック部５０は、＋Ｚ方向側に突出する係止爪５１と、−Ｚ方向側に突出する係止爪５２とを有する。係止爪５１は筐体２１に設けられ、係止爪５２はスキャナーユニット１０に設けられている。
スキャナーユニット１０が閉状態である場合に＋Ｚ方向側に突出する係止爪５１と、−Ｚ方向側に突出する係止爪５２とが係止され、スキャナーユニット１０が筐体２１に対してロックされた状態になり、スキャナーユニット１０の筐体２１に対するＸ方向の移動が規制される。ロック部５０を設けることにより、スキャナーユニット１０に機械的損傷が生じにくくなる。また、ユーザーは、ロック部５０のロック状態を容易に解除し、スキャナーユニット１０を開状態にすることができる。
このように、本実施形態に係る記録装置１は、スキャナーユニット１０がインクタンク４６を覆うように筐体２１に対して閉じられた状態で（スキャナーユニット１０が閉状態で）、スキャナーユニット１０の移動を制限するロック部５０を有する。
また、ロック部５０のロック状態を解除する力がロック解除荷重である。本実施形態では、パネルユニット１６の原稿台１２に対する角度によって、ロック部５０のロック状態を解除するロック解除荷重は変化せず、同じである。
【００２５】
図２及び図３に戻って、装置本体２０の内部には、キャリッジ４３と、記録ヘッド４１（図５参照）と、インクタンク４６とが配置されている。キャリッジ４３は、ガイド軸（図示省略）によって支持され、媒体Ｍが搬送される方向と交差する方向に移動可能である。キャリッジ４３には、記録ヘッド４１とインクタンク４６とが搭載されている。インクタンク４６は、記録ヘッド４１の上部に配置され、記録ヘッド４１に供給する「液体」の一例であるインクを収容する。
なお、記録ヘッド４１は本願における記録部の一例であり、インクタンク４６は本願における液体収容部の一例である。また、媒体Ｍが搬送される方向と交差する方向は、Ｘ方向であり、以降、走査方向Ｘと称す。走査方向Ｘは、本願における媒体が搬送される方向と交差する幅方向の一例である。
【００２６】
記録ヘッド４１は、共通液室（図示省略）、圧力発生室（図示省略）、圧電素子（図示省略）、及びノズル（図示省略）などを有し、媒体支持部４４に支持された媒体Ｍに対してインクを吐出する。圧電素子は、撓み振動モードの圧電アクチュエーター、または縦振動モードの圧電アクチュエーターである。圧力発生室にインクが供給された状態で、圧電素子が圧力発生室の一部を形成する振動板を振動させ、圧力発生室に圧力変動を生じさせ、この圧力変動を利用することで、記録ヘッド４１は媒体Ｍに対してインクを吐出する。
【００２７】
本実施形態では５つのインクタンク４６が、キャリッジ４３に搭載され、４色のインクが収容されている。詳しくは、５つのインクタンク４６のうち２つには、ブラック（Ｋ）のインクが収容され、５つのインクタンク４６のうち３つには、シアン（Ｃ）、マゼンタ（Ｍ）、及びイエロー（Ｙ）のインクのいずれかが収容されている。各色のインクは、インクタンク４６から記録ヘッド４１に供給される。
なお、キャリッジ４３に搭載されるインクタンク４６の数は５つに限定されず、５つより少なくてよいし、５つより多くてもよい。また、インクタンク４６に収容されるインクの色の数は、４色に限定されず、４色より多くてもよいし、４色より少なくてもよい。
【００２８】
媒体Ｍにインクが吐出されない場合では、図２に示すように、キャリッジ４３はホーム位置に配置される。ホーム位置において、インクの蒸発を抑制するキャッピング処理が、記録ヘッド４１に対して実施される。また、ホーム位置において、記録ヘッド４１を正常な状態に回復させるメンテナンス処理が、記録ヘッド４１に対して実施される。
【００２９】
インクタンク４６のインク残量を確認する場合や、インクタンク４６にインクを注入する場合では、図３に示すように、キャリッジ４３はインク注入位置に配置される。
本実施形態では、ユーザーが手掛け部１５に手を掛けて、スキャナーユニット１０を筐体２１に対して開くと、キャリッジ４３はインク注入位置に配置されるようになっている。詳しくは、スキャナーユニット１０が閉状態から開状態になり、センサー８によってスキャナーユニット１０が開状態であることが検出されると、制御部は、キャリッジ４３をインク注入位置に配置する。すると、インクタンク４６が露出され、インクを補充容器４８（図４参照）からインクタンク４６に注入可能となる。すなわち、制御部は、スキャナーユニット１０がインクタンク４６を露出するように筐体２１に対して開かれた場合、インクを補充容器４８から注入可能な位置にインクタンク４６を移動させる。
そして、本実施形態に係る記録装置１は、スキャナーユニット１０を筐体２１に対して回動させ、インクタンク４６を露出することにより、インクを補充容器４８からインクタンク４６に注入可能となる構成を有する。
なお、ホーム位置の状態を分かりやすくするために、図２では、スキャナーユニット１０が開状態である場合、キャリッジ４３がホーム位置に配置される状態が図示されている。実際には、スキャナーユニット１０が開状態にある場合、図３に示すように、キャリッジ４３はインク注入位置に配置される。
もちろん、操作パネル１８を介した操作によって、スキャナーユニット１０が開状態である場合に、キャリッジ４３をホーム位置に配置することができる。
【００３０】
図３に示すように、キャリッジ４３がインク注入位置に配置される場合（インクを補充容器４８からインクタンク４６に注入する場合）、平面視で筐体２１の前面側筐体部２２に設けられた切り欠き２３に重なるように、キャリッジ４３に設けられたＸ方向に長い開口４５が配置される。
キャリッジ４３がインク注入位置に配置される場合（インクを補充容器４８からインクタンク４６に注入する場合）、すなわち、スキャナーユニット１０が開状態である場合、平面視において、筐体２１の切り欠き２３とキャリッジ４３の開口４５とが重なる。さらに、平面視において、筐体２１の切り欠き２３及びキャリッジ４３の開口４５は、パネルユニット１６及びスキャナーユニット１０の端部１４に重ならない。その結果、ユーザーは、前面側筐体部２２から回動軸１１に向かう方向（Ｙ方向）から、インクタンク４６を視認することができる。
このように、スキャナーユニット１０及びパネルユニット１６が筐体２１に対して開かれると、平面視で、筐体２１の切り欠き２３及びキャリッジ４３の開口４５と、インクタンク４６とが重なった状態になり、ユーザーは、切り欠き２３及び開口４５を介して、インクタンク４６に収容されるインクの残量を確認することができる。
【００３１】
かかる構成によって、キャリッジ４３がインク注入位置に配置される場合、ユーザーは、筐体２１の切り欠き２３とキャリッジ４３の開口４５とを介して、インクタンク４６に収容されるインクの残量を視認し、確認することができる。
なお、筐体２１の切り欠き２３及びキャリッジ４３の開口４５は、本願における視認部の一例である。すなわち、筐体２１は、インクタンク４６に収容されるインクの残量を視認可能とする視認部としての切り欠き２３を有し、キャリッジ４３は、インクタンク４６に収容されるインクの残量を視認可能とする視認部としての開口４５を有する。
【００３２】
インクタンク４６は、インクが収容される本体部４６ａと、インクを補充容器４８から注入可能な注入口４６ｂと、キャップ部材４６ｃとを有する。キャップ部材４６ｃは、一方の端を回動軸として、他方の端が本体部４６ａに対して回動可能である。キャップ部材４６ｃは、注入口４６ｂを密封し、本体部４６ａに収容されるインクの乾燥を抑制する。
本体部４６ａは、半透明または透明な材料で構成され、外部から本体部４６ａに収容されるインクを確認することができる。さらに、本体部４６ａには、インクが空状態にあることを周知する目盛りや、インクが満状態にあることを周知する目盛りなどの目盛り部（図示省略）が設けられている。
ユーザーは、キャリッジ４３がインク注入位置に配置される場合、インクタンク４６を視認し、本体部４６ａに設けられた目盛り部によってインクタンク４６のインクの残量を適正に把握することができる。
【００３３】
キャリッジ４３がインク注入位置に配置される場合、すなわち、インクを補充容器４８からインクタンク４６に注入する場合、注入口４６ｂは、スキャナーユニット１０の端部１４に対して前面側筐体部２２側に配置される。すなわち、インクを補充容器４８からインクタンク４６に注入する場合、注入口４６ｂは、スキャナーユニット１０の外側に配置される。
その結果、図４に示すように、キャリッジ４３がインク注入位置に配置されると、補充容器４８をインクタンク４６の注入口４６ｂの中に差し込み、インクを補充容器４８からインクタンク４６に注入することができる。
このように、本実施形態では、スキャナーユニット１０が開状態である場合、インクタンク４６をインク注入位置に移動させ、ユーザーは、インクタンク４６に収容されるインクの残量を確認し、インクタンク４６に収容されるインクの残量が少ない場合に補充容器４８からインクをインクタンク４６に補充する。
【００３４】
図５に示すように、装置本体２０内の下部には、複数の媒体Ｍが収容されるカセット３７が配置されている。カセット３７は、筐体２１に対して挿抜自在な状態で配置されている。
さらに、装置本体２０内には、媒体Ｍを搬送する搬送部３０と、搬送部３０により搬送された媒体Ｍに対してインクを吐出し、記録を行う記録ユニット４０とが配置されている。
搬送部３０では、媒体Ｍが搬送される方向に沿って、ピックアップローラー３１と、反転ローラー３３と、搬送ローラー対３４とが順に配置されている。
記録ユニット４０は、走査方向Ｘに移動可能なキャリッジ４３と、キャリッジ４３に搭載される記録ヘッド４１及びインクタンク４６（図２参照）と、媒体支持部４４とを有する。
【００３５】
ピックアップローラー３１は、カセット３７内に収容される複数の媒体Ｍのうち最上層の媒体Ｍの上面に接触した状態で回転可能であり、カセット３７内の媒体Ｍを大径の反転ローラー３３に向けて送り出す。カセット３７に収容される媒体Ｍは、反転ローラー３３によって搬送方向が反転され、上方から前方（搬送ローラー対３４側）に向けて湾曲されながら搬送される。
搬送ローラー対３４は、反転ローラー３３に対して媒体Ｍの搬送方向の下流側に配置されている。搬送ローラー対３４は、それぞれ上下で対をなすローラーが媒体Ｍを挟んで回転することにより、媒体Ｍを搬送方向に搬送する。そして、媒体Ｍは、搬送ローラー対３４によって搬送され、媒体支持部４４に至る。
【００３６】
媒体支持部４４は、記録ヘッド４１と対向するように設けられた走査方向Ｘに長い長方形状の部材である。媒体支持部４４は、記録ヘッド４１と対向する側に、水平面に沿った平滑な面を有する。搬送ローラー対３４から搬送された媒体Ｍは、媒体支持部４４の平滑な面によって支持される。
そして、本実施形態に係る記録装置１では、記録ヘッド４１が走査方向Ｘに移動しながらインクを媒体Ｍに吐出する動作と、搬送ローラー対３４が媒体Ｍを搬送方向Ｙに搬送する動作とを交互に繰り返し、媒体Ｍに所望の画像を記録する。
【００３７】
以上述べたように、「視認部」の一例である切り欠き２３は、筐体２１の前面側筐体部２２に設けられる。パネルユニット１６は、筐体２１の前面側筐体部２２ではなく、スキャナーユニット１０に設けられ、スキャナーユニット１０と一緒に回動可能である。スキャナーユニット１０及びパネルユニット１６が筐体２１に対して開かれると、筐体２１の前面側筐体部２２とキャリッジ４３とインクタンク４６とが露出し、前面側筐体部２２の切り欠き２３とキャリッジ４３の開口４５とインクタンク４６とが平面視で重なった状態になる。
その結果、スキャナーユニット１０及びパネルユニット１６が筐体２１に対して開かれると、ユーザーは、インクタンク４６のインクの残量を確認し、インクタンク４６にインクを注入することができる。
【００３８】
パネルユニット１６と、「視認部」の一例である切り欠き２３及び開口４５とは、同じ構成要素に設けられるのでなく、異なる構成要素に設けられるので、「視認部」の一例である切り欠き２３及び開口４５の大きさは、パネルユニット１６の操作パネル１８の大きさに影響せず、例えば、「視認部」の一例である切り欠き２３及び開口４５を大きくしても、パネルユニット１６の操作パネル１８が相対的に小さくならない。
その結果、適正にインクタンク４６のインクの残量を確認するために、「視認部」の一例である切り欠き２３及び開口４５を大きくし、且つ、操作しやすくするためにパネルユニット１６の操作パネル１８を大きくすることができる。従って、「視認部」の一例である切り欠き２３及び開口４５、または、操作パネル１８のいずれかを大きくする場合と比べて、ユーザーの利便性が向上する。
【００３９】
（実施形態２）
図７〜図９は、実施形態２に係る記録装置２が備えるロック部６０の要部断面図である。図１０は、本実施形態に係る記録装置２の斜視図である。図１０では、パネルユニット１６がスキャナーユニット１０に対して開かれた状態が図示されている。
本実施形態に係る記録装置２と実施形態１に係る記録装置１とでは、ロック部の構成が異なり、他は同じである。
以下、図７〜図１０を参照し、本実施形態に係る記録装置２の概要を、実施形態１との相違点を中心に説明する。また、実施形態１と同一の構成部位については、同一の符号を附し、重複する説明を省略する。
【００４０】
図７〜図９に示すように、パネルユニット１６は、スキャナーユニット１０の端部１４に取り付けられ、回動軸６１を回動中心として、スキャナーユニット１０に対して回動可能である。
本実施形態に係る記録装置２が備えるロック部６０は、パネルユニット１６側に設けられたカム部６２と、筐体２１側に設けられた押圧部６３とを有する。パネルユニット１６側に設けられたカム部６２は回動軸６１に固定され、回動軸６１と一緒に回動する。筐体２１側に設けられた押圧部６３は、伸縮可能なバネ部材６４と、カム部６２に接触可能な接触部材６５とを有する。接触部材６５はバネ部材６４の先端に取り付けられている。バネ部材６４は、接触部材６５がカム部６２を押圧する力を付与する。
【００４１】
図７では、パネルユニット１６が閉状態にあり、スキャナーユニット１０が閉状態にある場合のロック部６０が図示されている。
図７に示すように、スキャナーユニット１０が閉状態にある場合、バネ部材６４が収縮した状態となり、収縮したバネ部材６４によって接触部材６５がカム部６２を押圧する力が付与される。すなわち、押圧部６３がカム部６２を押圧する状態になる。すると、スキャナーユニット１０が筐体２１に対してロックされた状態になり、スキャナーユニット１０の筐体２１に対するＺ方向の移動が規制される。
このように、スキャナーユニット１０が閉状態である場合に、ロック部６０は、スキャナーユニット１０を筐体２１に対してロックする。
【００４２】
図８では、パネルユニット１６が閉状態にあり、スキャナーユニット１０が筐体２１に対して少し開かれた場合のロック部６０が図示されている。詳しくは、図８では、スキャナーユニット１０が水平面に対して概略５度開かれた状態が図示されている。
図８に示すように、スキャナーユニット１０が筐体２１に対して開かれると、カム部６２と押圧部６３とが離間し、押圧部６３がカム部６２を押圧する状態が解除され、スキャナーユニット１０が筐体２１に対してロックされた状態が解除される。すなわち、スキャナーユニット１０が筐体２１に対して開かれると、押圧部６３がカム部６２を押圧する力が解除され、スキャナーユニット１０が筐体２１に対してロックされた状態が解除される。
なお、押圧部６３がカム部６２を押圧する力は、スキャナーユニット１０が筐体２１に対してロックされた状態が解除される力に相当し、本願におけるスキャナーユニットの移動を制限するロック状態を解除するロック解除荷重に相当する。
すなわち、押圧部６３がカム部６２を押圧する力は、スキャナーユニット１０の移動を制限するロック状態を解除するロック解除荷重に相当し、以降、ロック解除荷重と称す場合がある。
【００４３】
図９では、パネルユニット１６が開状態にあり、スキャナーユニット１０が閉状態にある場合のロック部６０が図示されている。
図９に示すパネルユニット１６が開状態にある場合と、図７に示すパネルユニット１６が閉状態にある場合とでは、カム部６２が回動し、カム部６２の状態が異なり、カム部６２に接触するように配置される接触部材６５のＹ方向の位置が異なる。すると、バネ部材６４の収縮状態が異なり、図９に示すパネルユニット１６が開状態にある場合、図７に示すパネルユニット１６が閉状態にある場合と比べて、バネ部材６４が大きく収縮し、大きく収縮したバネ部材６４によって付与される押圧部６３がカム部６２を押圧する力が強くなる。
その結果、図９に示すパネルユニット１６が開状態にある場合、図７に示すパネルユニット１６が閉状態にある場合と比べて、押圧部６３がカム部６２を強く押圧し、スキャナーユニット１０が筐体２１に対して強くロックされる。
【００４４】
本実施形態では、パネルユニット１６の筐体２１に対する姿勢が、図７に示す状態から図９に示す状態に変化すると、バネ部材６４の収縮量が徐々に大きくなるようにカム部６２が設けられている。その結果、図９に示すように、パネルユニット１６が筐体２１に対して最大限開かれた場合に、バネ部材６４の収縮量が最も大きくなり、押圧部６３がカム部６２を押圧する力が最も強くなる。図７に示すように、パネルユニット１６が筐体２１に対して閉じられた場合に、バネ部材６４の収縮量が最も小さくなり、押圧部６３がカム部６２を押圧する力が最も強くなる。
このように、パネルユニット１６の筐体２１に対する姿勢によって、すなわち、パネルユニット１６の原稿台１２に対する角度によって、押圧部６３がカム部６２を押圧する力（ロック解除荷重）が変化する。すなわち、本実施形態は、ロック部６０が、パネルユニット１６の原稿台１２に対する角度によって、スキャナーユニット１０の移動を制限するロック状態を解除するロック解除荷重を変化させる構成を有する。
【００４５】
このように、図９に示すパネルユニット１６が開状態にある場合、図７に示すパネルユニット１６が閉状態にある場合と比べて、スキャナーユニット１０が筐体２１に対してより強くロックされる。
さらに、図示を省略するが、図９に示すスキャナーユニット１０が筐体２１に対して閉じられた状態から、スキャナーユニット１０が筐体２１に対して少し開かれた状態になると、カム部６２と押圧部６３とが離間し、押圧部６３がカム部６２を押圧する状態が解除され、スキャナーユニット１０が筐体２１に対してロックされた状態が解除される。
【００４６】
パネルユニット１６が閉状態である条件でスキャナーユニット１０を開く場合、ユーザーは手掛け部１５に手を掛けて、スキャナーユニット１０を開く。この場合、手掛け部１５が力の作用点となり、回動軸１１が支点となり、スキャナーユニット１０が筐体２１に対して開かれる。
一方、パネルユニット１６が開状態である条件でスキャナーユニット１０を開く場合、図１０に示すように、ユーザーはパネルユニット１６の先端１６ａに手を掛けて、スキャナーユニット１０を開くこともできる。この場合、パネルユニット１６の先端１６ａが力の作用点となり、回動軸１１が支点となり、スキャナーユニット１０が筐体２１に対して開かれる。
【００４７】
作用点と支点との距離は、パネルユニット１６が閉状態である条件で短くなり、パネルユニット１６が開状態である条件で長くなる。すると、てこの原理によって、パネルユニット１６が開状態である条件は、パネルユニット１６が閉状態である条件と比べて、ユーザーは弱い力でスキャナーユニット１０を開くことができる。
このため、パネルユニット１６が開状態である条件と、パネルユニット１６が閉状態である条件とで、スキャナーユニット１０を開くという同じ作業の中で、ユーザーが感じる負担感が変化するようになる。ところが、スキャナーユニット１０を開くという同じ作業の中で、ユーザーの負担感が変化すると、ユーザーは、記録装置１の状態に変化が生じたと誤解するおそれがある。例えば、ユーザーは、記録装置１に不具合が生じたと誤解するおそれがある。
【００４８】
本実施形態では、パネルユニット１６が開状態である条件においてスキャナーユニット１０を開く場合にロック解除荷重が強くなり、パネルユニット１６が閉状態である条件においてスキャナーユニット１０を開く場合にロック解除荷重が弱くなるように、ロック解除荷重が変化する。
すると、ユーザーは、パネルユニット１６が開状態である条件と、パネルユニット１６が閉状態である条件とで、同じ負担感でスキャナーユニット１０を開くことができる。スキャナーユニット１０を開くという同じ作業の中で、ユーザーが感じる負担感の変化が小さくなるので、上述したユーザーが記録装置１の状態に変化が生じたと誤解するおそれが解消される。
【００４９】
以下に、実施形態から導き出される内容を記載する。
【００５０】
記録装置は、媒体に液体を吐出して記録を行う記録部と、前記記録部の上部に配置され、前記記録部に供給する前記液体を収容するとともに、前記液体を補充容器から注入可能な注入口を備える液体収容部と、前記記録部及び前記液体収容部が搭載され、前記媒体が搬送される方向と交差する幅方向に移動可能なキャリッジと、前記液体収容部を内部に備える筐体と、前記筐体の上部に回動軸を介して前記筐体に対して回動可能に取り付けられ、原稿台に載置される原稿を読み取るスキャナーユニットと、各種操作が可能なパネルユニットと、を備え、前記パネルユニットは、前記スキャナーユニットの前記回動軸に対向配置される端部に取り付けられ、第１姿勢と、前記第１姿勢よりも前記原稿台に対して平行に近い第２姿勢との間でチルト可能であり、前記スキャナーユニットを前記筐体に対して回動させ、一定量開口させることにより、前記液体を前記補充容器から前記液体収容部に注入可能となることを特徴とする。
【００５１】
記録装置は、筐体に回動可能に取り付けられたスキャナーユニットと、スキャナーユニットに取り付けられたパネルユニット（以下、操作パネルと称す場合がある）とを有し、スキャナーユニットと操作パネルとを一体で回動させ、液体収容部を露出し、液体収容部に収容される液体の残量を確認し、液体を補充容器から液体収容部に注入する。
スキャナーユニットと操作パネルとが一体で回動して液体収容部を露出するため、操作パネルを大きくしても、液体収容部に収容される液体の残量を確認する作業を阻害せず、液体を補充容器から液体収容部に注入する作業を阻害しない。このため、液体収容部に収容される液体の残量の確認しやすくし、液体を補充容器から液体収容部に注入しやすくしつつ、操作パネルを大きくし、操作パネルを操作しやすくすることができるので、ユーザーの利便性を向上することができる。
【００５２】
上記記録装置では、前記キャリッジ及び前記筐体は、前記液体収容部に収容される前記液体の残量を視認可能とする視認部を有することが好ましい。
【００５３】
キャリッジ及び筐体に、液体収容部に収容される液体の残量を視認可能とする視認部を設けると、装置外部から液体収容部に収容される液体の残量を確認でき、ユーザーの利便性が向上する。
【００５４】
上記記録装置では、前記筐体は、前記第１姿勢の前記パネルユニットに対向配置される前面側筐体部を有し、前記前面側筐体部に前記視認部が設けられることが好ましい。
【００５５】
前面側筐体部に液体収容部に収容される液体の残量を視認可能とする視認部を設けると、例えばパネルユニットが第２姿勢である場合に装置外部から液体収容部に収容される液体の残量を確認でき、ユーザーの利便性が向上する。
【００５６】
上記記録装置では、前記筐体は、前記第１姿勢の前記パネルユニットに対向配置される前面側筐体部を有し、前記液体を前記補充容器から前記液体収容部に注入する場合、前記前面側筐体部から前記回動軸に向かう方向から見た平面視において、前記視認部は前記パネルユニット及び前記端部に重ならないことが好ましい。
【００５７】
液体を補充容器から液体収容部に注入する場合、前面側筐体部から回動軸に向かう方向から見た平面視において、視認部がパネルユニット及び端部に重ならないと、装置外部から液体収容部に収容される液体の残量を確認しながら、液体を補充容器から液体収容部に注入することができる。
【００５８】
上記記録装置では、前記液体を前記補充容器から前記液体収容部に注入する場合、前記注入口は、前記端部に対して前記前面側筐体部側に配置されることが好ましい。
【００５９】
液体を補充容器から液体収容部に注入する場合、注入口は、パネルユニットの端部に対して前面側筐体部側に配置される。すなわち、液体を補充容器から液体収容部に注入する場合、注入口は、パネルユニットの外側に配置される。すると、前面側筐体部側から液体を補充容器から液体収容部に注入することができる。
【００６０】
上記記録装置では、前記液体を前記補充容器から前記液体収容部に注入可能となるように前記スキャナーユニットを前記筐体に対して開いた場合、及び、前記液体収容部を覆うように前記スキャナーユニットを前記筐体に対して閉じた場合の両方で、前記パネルユニットを操作可能であることが好ましい。
【００６１】
スキャナーユニットを筐体に対して開いた場合及びスキャナーユニットを筐体に対して閉じた場合の両方で、パネルユニットが操作可能であると、スキャナーユニットを筐体に対して開いた場合またはスキャナーユニットを筐体に対して閉じた場合のいずれかで、パネルユニットが操作可能である場合と比べて、ユーザーの利便性が向上する。
【００６２】
上記記録装置では、前記スキャナーユニットが前記液体収容部を覆うように前記筐体に対して閉じられた状態で、前記スキャナーユニットの移動を制限するロック部を有することが好ましい。
【００６３】
例えば、記録装置の移動などでスキャナーユニットに衝撃が加わっても、ロック部によってスキャナーユニットの移動が制限されているので、スキャナーユニットに機械的損傷が生じにくい。
【００６４】
上記記録装置では、前記ロック部は、前記パネルユニットの前記原稿台に対する角度によって、前記スキャナーユニットの移動を制限するロック状態を解除するロック解除荷重を変化させることが好ましい。
【００６５】
ロック解除荷重を変化させることができると、例えば、ロック解除荷重を最適化し、適正にロック状態を解除することができる。
【符号の説明】
【００６６】
１…記録装置、３…制御部、９…前扉、１０…スキャナーユニット、１１…回動軸、１２…原稿台、１３…スキャナーハウジング部、１６…パネルユニット、１７…本体、１８…操作パネル、１９…上蓋、２０…装置本体、２１…筐体、２２…前面側筐体部、２３…切り欠き、４３…キャリッジ、４５…開口、４６…インクタンク、４６ａ…本体部、４６ｂ…注入口、４６ｃ…キャップ部材、４８…補充容器。
【図１】
2020189434.tif 000003
【図２】
2020189434.tif 000004
【図３】
2020189434.tif 000005
【図４】
2020189434.tif 000006
【図５】
2020189434.tif 000007
【図６】
2020189434.tif 000008
【図７】
2020189434.tif 000009
【図８】
2020189434.tif 000010
【図９】
2020189434.tif 000011
【図１０】
2020189434.tif 000012